(57)【要約】  本発明による多重周波数チャンネル同時接続端末器は、ダウンリンクで第１周波数チャンネルを通して受信した第１プロトコルデータユニットおよび第２周波数チャンネルを通して受信した第２プロトコルデータユニットを、前記第１プロトコルデータユニットおよび前記第２プロトコルデータユニットのそれぞれの順序番号に基づいて順序通りに整列し、アップリンクでプロトコルデータユニットシークエンス番号を生成して周波数チャンネル別ロー媒体接続制御部に転送する順序整列部と、前記順序整列部から順序が整列された前記第１プロトコルデータユニットおよび前記第２プロトコルデータユニットを再組立してサービスデータユニットを生成する再組立部とを含む。
2011507447.tif 000002
【特許請求の範囲】
【請求項１】
ダウンリンクで第１周波数チャンネルを通して受信した第１プロトコルデータユニットおよび第２周波数チャンネルを通して受信した第２プロトコルデータユニットを、前記第１プロトコルデータユニットおよび前記第２プロトコルデータユニットのそれぞれの順序番号に基づいて順序通りに整列し、アップリンクでプロトコルデータユニットシークエンス番号を生成して周波数チャンネル別ロー媒体接続制御部に転送する順序整列部と、
前記順序整列部から順序が整列された前記第１プロトコルデータユニットおよび前記第２プロトコルデータユニットを再組立してサービスデータユニットを生成する再組立部と
を含む、多重周波数チャンネル同時接続端末器。
【請求項２】
前記第１周波数チャンネルを通して基地局と通信する第１物理階層部と、
前記第２周波数チャンネルを通して前記基地局と通信する第２物理階層部と、
前記第１プロトコルデータユニットの第１ＭＡＰ情報−前記第１ＭＡＰ情報は前記第１周波数チャンネルのダウンリンク時間区間およびアップリンク時間区間を指示する−を解釈し、前記第１物理階層部を制御する第１ロー媒体接続制御部と、
前記第２プロトコルデータユニットの第２ＭＡＰ情報−前記第２ＭＡＰ情報は前記第１周波数チャンネルのダウンリンク時間区間およびアップリンク時間区間を指示する−を解釈し、前記第２物理階層部を制御する第２ロー媒体接続制御部と
をさらに含む、請求項１に記載の多重周波数チャンネル同時接続端末器。
【請求項３】
前記プロトコルデータユニットシークエンス番号は、プロトコルデータユニットフラグメントサブヘッダに基づいて決定される、請求項２に記載の多重周波数チャンネル同時接続端末器。
【請求項４】
基地局から第１周波数チャンネルおよび第２周波数チャンネルのダウンリンクを通して任意の順序に受信される複数のプロトコルデータユニットのそれぞれに対してフレーム番号が指定される段階と、
前記プロトコルデータユニットのうちのプロトコルデータユニット順序キュー保存条件に符合する少なくとも一つのプロトコルデータユニットが前記プロトコルデータユニット順序キューに保存される段階と、
前記プロトコルデータユニット順序キューに保存された前記少なくとも一つのプロトコルデータユニットの順序が整列される段階と
を含む、多重周波数チャンネル同時接続端末器のプロトコルデータユニット順序整列方法。
【請求項５】
前記プロトコルデータユニット順序キューに保存される段階において、前記プロトコルデータユニットのシークエンス番号が開始シークエンス値と最大シークエンス値との差より大きくない場合には、前記プロトコルデータユニット順序キュー保存条件に符合すると判断する、請求項４に記載の多重周波数チャンネル同時接続端末器のプロトコルデータユニット順序整列方法。
【請求項６】
前記少なくとも一つのプロトコルデータユニットの順序が整列される段階は、前記プロトコルデータユニットのシークエンス番号が前記開始シークエンス値と同一でない場合には、前記プロトコルデータユニット順序キューに保存される段階をさらに含む、請求項５に記載の多重周波数チャンネル同時接続端末器のプロトコルデータユニット順序整列方法。
【請求項７】
前記少なくとも一つのプロトコルデータユニットの順序が整列される段階は、前記プロトコルデータユニットのシークエンス番号が前記開始シークエンス値と同一である場合には、前記プロトコルデータユニットが再組立部に伝達され、前記開始シークエンス値が１だけ大きい値に更新される段階をさらに含む、請求項６に記載の多重周波数チャンネル同時接続端末器のプロトコルデータユニット順序整列方法。
【請求項８】
少なくとも一つの前記プロトコルデータユニットに保存されたプロトコルデータユニットのそれぞれに対して、前記プロトコルデータユニットに保存されたプロトコルデータユニットのシークエンス番号と前記開始シークエンス値とが一致するかを判断する段階と、
前記一致するかを判断した結果、一致する場合には、前記プロトコルデータユニットに保存されたプロトコルデータユニットが前記再組立部に伝達されると共に、前記開始シークエンス値が１だけ大きい値に更新される段階と
をさらに含む、請求項７に記載の多重周波数チャンネル同時接続端末器のプロトコルデータユニット順序整列方法。
【請求項９】
前記フレーム番号が毎フレーム毎に１だけ大きい値に更新される段階をさらに含む、請求項８に記載の多重周波数チャンネル同時接続端末器のプロトコルデータユニット順序整列方法。
【請求項１０】
少なくとも一つの前記プロトコルデータユニットに保存されたプロトコルデータユニットのフレーム番号が最大フレーム範囲を超過する場合、前記再組立部に伝達されると共に、前記開始シークエンス値が前記プロトコルデータユニットのシークエンス番号より１だけ大きい値に更新される段階をさらに含む、請求項９に記載の多重周波数チャンネル同時接続端末器のプロトコルデータユニット順序整列方法。
【発明の詳細な説明】
【技術分野】
【０００１】
本発明は、多重周波数チャンネル同時接続端末器およびそのプロトコルデータユニット順序整列方法に関し、より詳しくは、２つの周波数チャンネル（ＦＡ：Ｆｒｅｑｕｅｎｃｙ  Ａｓｓｉｇｎｍｅｎｔ）に同時接続してデータを送受信することができる端末器において、各周波数チャンネルで転送されるプロトコルデータユニット（ＰＤＵ：Ｐｒｏｔｏｃｏｌ  Ｄａｔａ  Ｕｎｉｔ）を順序に合うように整列することによって、ＴＣＰ／ＩＰパケットの転送誤りを最少化する多重周波数チャンネル同時接続端末器およびそのプロトコルデータユニット順序整列方法に関する。
【背景技術】
【０００２】
携帯インターネット（Ｍｏｂｉｌｅ  ＷｉＭａｘ）、特にワイブロ（ＷｉＢｒｏ：Ｗｉｒｅｌｅｓｓ  Ｂｒｏａｄｂａｎｄ  Ｉｎｔｅｒｎｅｔ）ネットワークにおいて、複数の周波数チャンネルに同時接続してデータを送受信することができる端末器（以下、“多重周波数チャンネル同時接続端末器”という）が開発されている。
【０００３】
一方、従来技術では、一つのセル（ｃｅｌｌ）内で複数の周波数チャンネルを特定の端末器に割り当てて運用することもでき、また、基地局内の電波環境に応じて不良な周波数チャンネルから良好な周波数チャンネルにハンドオフ（ｈａｎｄｏｆｆ）を遂行する技術も紹介されている。
【０００４】
この時、データの誤り制御のために従来技術では、再転送と誤り訂正を組み合わせて誤り制御を行う方法であるＨＡＲＱ（ハイブリッドＡＲＱ）機能を物理階層（Ｐｈｙｓｉｃａｌ  Ｌａｙｅｒ）で定義している。無線インターネットパケットのように、短時間に多量のパケットが発生する、いわゆるパケットバースト（ｐａｃｋｅｔ  ｂｕｒｓｔ）の特性を有するパケットデータサービスシステムでは、ＨＡＲＱ方式の誤り制御を通してパケット処理率を向上させることができるという長所がある。
【０００５】
また、従来技術でパケットデータを転送するためのプロトコルとして、ＴＣＰ（Ｔｒａｎｓｍｉｓｓｉｏｎ  Ｃｏｎｔｒｏｌ  Ｐｒｏｔｏｃｏｌ）を基本プロトコルとして幅広く利用している。
【０００６】
周知されたように、ＴＣＰプロトコルはユーザーデータを終端と終端（Ｅｎｄ‐ｔｏ‐Ｅｎｄ）の間で誤りなく伝達する作業を遂行する。誤り訂正のために受信側では受信したＴＣＰセグメント（Ｓｅｇｍｅｎｔ）に対するＡＣＫ（Ａｃｋｎｏｗｌｅｄｇｅ）を送信する。また、このようなＡＣＫを受信することができない場合、再転送および混雑制御（ｃｏｎｇｅｓｔｉｏｎ  ｃｏｎｔｒｏｌ）を遂行する。
【０００７】
この時、ＴＣＰは累積ＡＣＫ（ｃｕｍｕｌａｔｉｖｅ  ＡＣＫ）方式でＡＣＫを転送する。累積ＡＣＫ方式でＡＣＫ番号はデータの流れで受信側がデータを受信して認識したことまでの位置を示す。つまり、ＡＣＫ番号は送信側で送るべき次のオクテット（Ｏｃｔｅｔ）数を示す。
【０００８】
このような累積ＡＣＫ方式はＡＣＫパケットが損失されてもこれを再転送しないという長所がある。したがって、データの送信中にＡＣＫパケットが一つ損失されても次のデータパケットのＡＣＫによってその時点までに受信された全てのデータを認識することができる。
【０００９】
しかし、データパケットの一部が損失されて次のデータパケットが到着した場合や、データパケットのシークエンス番号（ｓｅｑｕｅｎｃｅ  ｎｕｍｂｅｒ）順に到着しない場合であって、損失されたデータパケットの次に到着したパケットである場合には、受信側でこれを認識することができない。したがって、送信側の再転送が必要となる。
【００１０】
したがって、もし、携帯インターネット技術でＨＡＲＱを運用したり、一つの端末器が２つ以上の周波数チャンネルに同時接続してデータパケットを送受信する場合には、ＴＣＰパケットがシークエンス番号順に転送されないことによって再転送が増加し、転送効率が顕著に落ちるという問題点が発生する。
【００１１】
背景技術に記載された事項はただ本発明の背景に関する理解を助けるためのものであり、この国で当業者に公知されている従来の技術に関連しない情報を含むことがある。
【先行技術文献】
【特許文献】
【００１２】
【特許文献１】特開平１１−３１３０６２号公報
【特許文献２】特開平０８−０３３００９号公報
【特許文献３】米国特許出願公開第２００２／００９５５１２号明細書
【特許文献４】米国特許出願公開第２００７／０２０６６００号明細書
【発明の概要】
【発明が解決しようとする課題】
【００１３】
本発明は、前記の問題点を解決するために案出されたものとして、２つの周波数チャンネル（ＦＡ：Ｆｒｅｑｕｅｎｃｙ  Ａｓｓｉｇｎｍｅｎｔ）に同時接続してデータを送受信することができる端末器において、各周波数チャンネルで転送されるプロトコルデータユニット（ＰＤＵ：Ｐｒｏｔｏｃｏｌ  Ｄａｔａ  Ｕｎｉｔ）を順序に合うように整列することによって、ＴＣＰ／ＩＰパケットの転送誤りを最少化する、多重周波数チャンネル同時接続端末器およびそのプロトコルデータユニット順序整列方法を提供することをその目的とする。
【課題を解決するための手段】
【００１４】
前記の目的を達成するために、本発明による多重周波数チャンネル同時接続端末器は、ダウンリンクで第１周波数チャンネルを通して受信した第１プロトコルデータユニットおよび第２周波数チャンネルを通して受信した第２プロトコルデータユニットを、前記第１プロトコルデータユニットおよび前記第２プロトコルデータユニットのそれぞれの順序番号に基づいて順序通りに整列し、アップリンクでプロトコルデータユニットシークエンス番号を生成して周波数チャンネル別ロー媒体接続制御部に転送する順序整列部と、前記順序整列部から順序が整列された前記第１プロトコルデータユニットおよび前記第２プロトコルデータユニットを再組立してサービスデータユニットを生成する再組立部とを含む。
【００１５】
また、本発明による多重周波数チャンネル同時接続端末器のプロトコルデータユニット順序整列方法は、基地局から第１周波数チャンネルおよび第２周波数チャンネルのダウンリンクを通して任意の順序に受信される複数のプロトコルデータユニットのそれぞれに対してフレーム番号が指定される段階と、前記プロトコルデータユニットのうちのプロトコルデータユニット順序キュー保存条件に符合する少なくとも一つのプロトコルデータユニットが前記プロトコルデータユニット順序キューに保存される段階と、前記プロトコルデータユニット順序キューに保存された前記少なくとも一つのプロトコルデータユニットの順序が整列される段階とを含む。
【発明の効果】
【００１６】
本発明による多重周波数チャンネル同時接続端末器およびそのプロトコルデータユニット順序整列方法を利用すれば、２つの周波数チャンネルに同時接続してデータを送受信するに当たって、各周波数チャンネルで転送されるプロトコルデータユニットの順序が整列することによって、ＴＣＰ／ＩＰパケットの転送誤りを最少化する効果がある。
【００１７】
また、本発明による多重周波数チャンネル同時接続端末器およびそのプロトコルデータユニット順序整列方法を利用すれば、ＨＡＲＱ誤り制御を運用する携帯インターネット端末でＴＣＰパケットを転送する場合に、パケットを順序通りに送受信することによって無線区間でＴＣＰ階層の再転送を最少化する効果がある。
【００１８】
また、本発明による多重周波数チャンネル同時接続端末器およびそのプロトコルデータユニット順序整列方法を利用すれば、ＨＡＲＱ誤り制御およびた多重周波数チャンネル同時接続機能を有する携帯インターネット端末器の性能が向上することによって、現行のワイブロ（ＷｉＢｒｏ）端末器が８０２．１６ｍのような今後の標準との互換性を有するようになる効果がある。
【図面の簡単な説明】
【００１９】
【図１】一つのセル内で多重周波数チャンネル接続機能を提供する携帯インターネット網の一例を示した図面である。
【図２】本発明による多重周波数チャンネル同時接続端末器の一例を示したブロック図である。
【図３】図２の多重周波数チャンネル同時接続端末器の動作の一例を示した図面である。
【図４】２周波数チャンネル同時接続時の本発明によるＰＤＵ順序整列方法による順序整列過程の初期状態を示した図面、
【図５】２周波数チャンネル同時接続時の本発明によるＰＤＵ順序整列方法による順序整列過程で３０番ＰＤＵが到着した状態を示した図面、
【図６】２周波数チャンネル同時接続時の本発明によるＰＤＵ順序整列方法による順序整列過程で３１番ＰＤＵが到着した状態を示した図面、
【図７】２周波数チャンネル同時接続時の本発明によるＰＤＵ順序整列方法による順序整列過程で３９番ＰＤＵが到着した状態を示した図面、
【図８】２周波数チャンネル同時接続時の本発明によるＰＤＵ順序整列方法による順序整列過程で３５番ＰＤＵの順序整列タイムアウト状態を示した図面、
【図９】２周波数チャンネル同時接続時の本発明によるＰＤＵ順序整列方法による順序整列過程で３８番ＰＤＵが到着した状態を示した図面、
【図１０】２周波数チャンネル同時接続時の本発明によるＰＤＵ順序整列方法による順序整列過程で４７番ＰＤＵが到着した状態を示した図面、
【図１１】２周波数チャンネル同時接続時の本発明によるＰＤＵ順序整列方法による順序整列過程で最終状態を示した図面である。
【図１２】本発明による２周波数チャンネル同時接続時のダウンリンクにおけるＰＤＵ順序整列方法の一例を示したフローチャートである。
【発明を実施するための形態】
【００２０】
以下、添付した図面を参照して本発明の実施例について本発明が属する技術分野で通常の知識を有する者が容易に実施することができるように詳しく説明する。しかし、本発明は多様な異なる形態で実現されることができ、ここで説明する実施例に限定されない。そして、図面で本発明を明確に説明するために、説明上不必要な部分は省略し、明細書全体を通して類似する部分については類似する図面符号を付した。
【００２１】
明細書全体において、ある部分が他の部分と「連結」されているとする時、これは「直接的に連結」されている場合のみならず、その中間に他の素子を介して「電気的に連結」されている場合も含む。
【００２２】
明細書全体において、ある部分がある構成要素を「含む」とする時、これは特に反対の記載がなければ、他の構成要素を除くのではなく、他の構成要素をさらに含むことができることを意味する。また、明細書に記載された「…部」、「…器」、「モジュール」などの用語は、少なくとも一つの機能がや動作を処理する単位を意味し、これはハードウェアやソフトウェアまたはハードウェアおよびソフトウェアの組み合わせで実現されることができる。
【００２３】
本明細書において、移動局（Ｍｏｂｉｌｅ  Ｓｔａｔｉｏｎ、ＭＳ）は端末（ｔｅｒｍｉｎａｌ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザー装置（Ｕｓｅｒ  Ｅｑｕｉｐｍｅｎｔ、ＵＥ）、接近端末（Ａｃｃｅｓｓ  Ｔｅｒｍｉｎａｌ、ＡＴ）などを指称することもでき、端末、移動端末、加入者局、携帯加入者局、ユーザー装置、接近端末などの全部または一部の機能を含むこともできる。
【００２４】
本明細書において、基地局（Ｂａｓｅ  Ｓｔａｔｉｏｎ、ＢＳ）は接近点（Ａｃｃｅｓｓ  Ｐｏｉｎｔ、ＡＰ）、無線接近局（Ｒａｄｉｏ  Ａｃｃｅｓｓ  Ｓｔａｔｉｏｎ、ＲＡＳ）、ノードＢ（Ｎｏｄｅ−Ｂ）、ｅＮＢ（Ｅｖｏｌｖｅｄ  Ｎｏｄｅ−Ｂ）送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを指称することもでき、接近点、無線接近局、ノードＢ、ｅＮＢ、送受信基地局、ＭＭＲ−ＢＳなどの全部または一部の機能を含むこともできる。
【００２５】
図１は、一つのセル内で多重周波数チャンネル接続機能を提供する携帯インターネット網の一例を示した図面である。
【００２６】
図１に示したように、一つのセル内で無線接近局（ＲＡＳ）、つまり、基地局１３０は多数の周波数チャンネルを運用することができる。また、携帯加入者局（ＰＳＳ：Ｐｏｒｔａｂｌｅ  Ｓｕｂｓｃｒｉｂｅｒ  Ｓｔａｔｉｏｎ）、つまり、携帯端末器１００、１１０、１２０も携帯端末器の特性に応じて一つの周波数チャンネルに接続して運用されることもでき、多数の周波数チャンネルに同時接続して運用されることもできる。
【００２７】
現在、携帯インターネット（Ｍｏｂｉｌｅ  ＷｉＭａｘ）のうち、特にワイブロ網では１０ＭＨｚの運用帯域を採択している。しかし、８０２．１６ｍ標準では１０ＭＨｚ以外にも２０／４０ＭＨｚの可変帯域幅を定義している。したがって、今後の高速通信を支援するためには２０〜４０ＭＨｚに対応するシステムの開発が要請される。
【００２８】
したがって、現行１０ＭＨｚ対応システムとの互換性を維持しながらも、未来の技術標準を反映するためには、図１に示したように一つのセル内で１０ＭＨｚ帯域接続端末器１１０、２０ＭＨｚ帯域接続端末器１２０および２つの１０ＭＨｚ帯域同時接続端末器１００の全てが動作しなければならない。
【００２９】
つまり、ある携帯端末器１１０は第１周波数帯域、例えば１０ＭＨｚ帯域に接続してデータを送受信する一方、他の携帯端末器１２０は第１周波数帯域と異なる周波数帯域である第２周波数帯域、例えば２０ＭＨｚ帯域に接続してデータを送受信する。さらに他の携帯端末器１００は複数の第１周波数チャンネルに同時接続してデータを送受信する。本発明は３番目の携帯端末器１００とその運用方法に関する。
【００３０】
図２は、本発明による多重周波数チャンネル同時接続端末器の一例を示したブロック図である。
【００３１】
図２の実施例では２つの周波数チャンネルに同時接続する端末器を示している。
【００３２】
図２に示したように、本発明による多重周波数チャンネル同時接続端末器２０は、再組立部２００、ＰＤＵ順序整列部２１０、第１ＦＡローＭＡＣ部２２０、第２ＦＡローＭＡＣ部２３０、第１物理階層部２４０、および第２物理階層部２５０を含む。
【００３３】
また、本発明による多重周波数チャンネル同時接続端末器２０は、ＵＳＢまたはＰＣＭＣＩＡなどのインターフェース２０２を通してＴＣＰ／ＩＰ階層を有してインターネットアプリケーションプログラムを遂行することができる装置、例えばノートパソコンのような装置と連結される。また、無線インターフェース２０１を通して基地局と連結され、さらにインターネットと連結される。
【００３４】
図２を参照して多重周波数チャンネル同時接続端末器２０の各部分についてより詳しく説明する。
【００３５】
再組立部２００は、端末終端装置（ノートパソコンなど）からインターフェース２０２を通して流入されるパケットを分類（ｃｌａｓｓｉｆｙ）し、新たなＱｏＳ（Ｑｕａｌｉｔｙ  ｏｆ  Ｓｅｒｖｉｃｅ）が要求されるサービスフローであるかを判断した後、端末器と基地局の媒体接続制御（ＭＡＣ：Ｍｅｄｕｉｍ  Ａｃｃｅｓｓ  Ｃｏｎｔｒｏｌ）階層間に新たな連結（ｃｏｎｎｅｃｔｉｏｎ）を設定することを要求する。
【００３６】
連結が設定されると、再組立部２００は端末終端装置から流入されるＴＣＰパケットを分類し、無線資源の状況に応じてパケットを分割してプロトコルデータユニット（ＰＤＵ）を生成し、これをＰＤＵ順序整列部２１０に伝達する。一方、ＰＤＵ順序整列部２１０からＰＡＣ  ＰＤＵが伝達されると、これを再組立してＴＣＰパケットを生成して端末終端装置に転送する。
【００３７】
ＰＤＵ順序整列部２１０は、複数の周波数チャンネル別ローＭＡＣ部（ＬＭＡＣ：Ｌｏｗ  ＭＡＣ）からダウンリンクＭＡＣ  ＰＤＵを受信すると、ＰＤＵを番号順序に整列して再組立部２００に転送する。また、再組立部２００からアップリンクＭＡＣ  ＰＤＵを受信すると、ＭＡＣ  ＰＤＵ番号を生成して周波数チャンネル別ローＭＡＣ部に伝達する。この時、アップリンクＰＤＵは基地局が割り当てる無線資源政策に応じてそれぞれ異なる周波数チャンネルに転送される。一方、図２の実施例では２つの周波数チャンネルに同時接続するようにしているので、２つのローＭＡＣ部２２０、２３０および２つの物理階層部２４０、２５０が携帯端末器２０に含まれる。
【００３８】
第１ＦＡローＭＡＣ部２２０および第２ＦＡローＭＡＣ部２３０は、基地局で毎フレーム毎に転送されるアップリンク（ｕｐｌｉｎｋ）およびダウンリンク（ｄｏｎｌｉｎｋ）ＭＡＰを解釈し、解釈されたＭＡＰによって各周波数チャンネルに対する物理階層部２４０、２５０を制御する。また、基地局が転送したダウンリンクＰＤＵバースト（ＰＤＵ  ｂｕｒｓｔ）を物理階層部２４０、２５０から受信してＰＤＵ順序整列部２１０に転送する一方、ＰＤＵ順序整列部２１０からアップリンクＰＤＵバーストを受信して物理階層部２４０、２５０に転送する。
【００３９】
一方、携帯インターネット、特にワイブロはＯＦＤＭ／ＴＤＭＡ方式であるため、毎フレームがアップリンク区間とダウンリンク区間に区分される。ダウンリンク区間を通して基地局は転送しようとするデータを端末器に転送するようになり、各端末器は各区間の冒頭に転送されるマップデータ（ｄｏｗｎｌｉｎｋ  ＭＡＰ  ｄａｔａ）を通して当該端末器に該当するデータを把握して受信する。
【００４０】
図３は、図２の多重周波数チャンネル同時接続端末器の動作の一例を示した図面である。
【００４１】
図３の実施例は多重周波数チャンネル同時接続端末器のうち、２つの周波数チャンネルに同時接続する携帯端末器に関する。
【００４２】
携帯端末器２０と基地局の間に新たな連結（ｃｏｎｎｅｃｔｉｏｎ）が設定されると、再組立部２００は端末終端装置２２から流入されるアップリンク２０６のＴＣＰパケット２０７を分類し、無線資源の状況に応じてパケットを分割してプロトコルデータユニット（ＰＤＵ）バースト２１６を生成し、これをＰＤＵ順序整列部２１０に伝達する。一方、ＰＤＵ順序整列部２１０からダウンリンクＭＡＣ  ＰＤＵ２１４が伝達されると、これを再組立してダウンリンク２０４のＴＣＰパケット２０５を生成して端末終端装置２２に転送する。
【００４３】
ＰＤＵ順序整列部２１０は、第１ＦＡローＭＡＣ部２２０から第１ＦＡダウンリンクのＭＡＣ  ＰＤＵ２２４が、第２ＦＡローＭＡＣ部２３０から第２ＦＡダウンリンクのＭＡＣ  ＰＤＵ２３４がそれぞれ受信されると、ＰＤＵ２１１、２１２、２１３、２２１、２２２、２２３、２３１、２３２、２３３を番号順序に整列して再組立部２００に転送する。また、再組立部２００からアップリンクＭＡＣ  ＰＤＵ２１６が受信されると、ＭＡＣ  ＰＤＵ番号２１７、２１８、２１９、２２８、２２９、２３５を生成して第１ＦＡローＭＡＣ部２２０および第２ＦＡローＭＡＣ部２３０に伝達する。この時、アップリンクＰＤＵは基地局が割り当てる無線資源政策に応じてそれぞれ第１ＦＡローＭＡＣ部２２０に転送されるか、第２ＦＡローＭＡＣ部２３０に転送されるかが決定される。
【００４４】
図３に示したように、本発明による多重周波数チャンネル同時接続端末器のＰＤＵ順序整列プロセスによれば、ＴＣＰパケットが常時順次に整列されるため、従来の物理階層でＨＡＲＱ誤り制御を遂行する場合に問題となったＴＣＰパケットの順序間違いによるデータ再転送の問題点が解消される。
【００４５】
図４乃至図１１は、２周波数チャンネル同時接続時の本発明によるＰＤＵ順序整列方法による順序整列過程の順次的な状態を示した図面である。
まず、次の表１の通り用語を定義する。
【００４６】
【表１】
2011507447.tif 000003
【００４７】
図４は、２周波数チャンネル同時接続時の本発明によるＰＤＵ順序整列方法による順序整列過程の初期状態を示した図面である。
【００４８】
図４に示したように、受信側に到着したＰＤＵはＰＤＵ順序番号を有しており、到着したフレーム番号（現在フレーム＝９８）が付与される。現在フレーム値は周期的にアップデートされる値であって、時分割多重接続（ＴＤＤ：Ｔｉｍｅ  Ｄｉｖｉｓｉｏｎ  Ｄｕｐｌｅｘ）の場合、ＭＡＰで毎フレーム別にブロードキャスティングされ、周波数分割多重接続（ＦＤＤ：Ｆｒｅｑｕｅｎｃｙ  Ｄｉｖｉｓｉｏｎ  Ｄｕｐｌｅｘ）の場合には、周期的に更新されるタイマーと仮定する。
【００４９】
図４で、例えば、現在フレーム値は９３１からフレーム別に順次に１ずつ増加する。各ＰＤＵはＰＤＵ順序整列のためにこの現在フレーム値から最大フレーム範囲またはこれより小さい時間範囲まで待たなければならない。この期間内に順序整列されない場合には、再組立部に直ちに伝達される。
【００５０】
したがって、ＰＤＵ順序整列部で留まる最大待機時間は数式１の通りである。
【００５１】
（数式１）
（最大待機時間）＝（最大フレーム範囲）×（１フレーム範囲）
【００５２】
例えば、１フレーム範囲（ｆｒａｍｅ  ｄｕｒａｔｉｏｎ）を５ミリ秒（ｍｓ）とすると、図４の場合、最大１０×５＝５０（ｍｓ）が最大待機時間となる。  
【００５３】
図５は、２周波数チャンネル同時接続時の本発明によるＰＤＵ順序整列方法による順序整列過程で３０番ＰＤＵが到着した状態を示した図面である。
【００５４】
ＰＤＵ順序整列部に伝達される次のＰＤＵ順序番号は開始シークエンス（ｓｔａｒｔ  ｓｅｑ）によって決定され、現在フレーム（ｃｕｒｒｅｎｔ  ｆｒａｍｅ）で最大フレーム範囲（ＭＡＸ_ＦＲＡＭＥ_ＷＩＮＤＯＷ）で最も小さいフレーム番号を有するＰＤＵが開始フレーム（ｓｔａｒｔ  ｆｒａｍｅ）となる。したがって、開始シークエンスと開始フレームの番号は同一であることも、異なることもできる。また、ＰＤＵ順序整列部で処理可能な、開始シークエンスからのパケットの最大個数は最大シークエンス番号（ＭＡＸ_ＳＥＱ_ＮＵＭ）と表現される。この範囲を逸脱したＰＤＵは捨てられる。
【００５５】
図５において、現在フレームが９８２番目である時に３０番ＰＤＵが到着すると、３０番ＰＤＵは最大シークエンス番号を超過したものであるため、捨てられる。
【００５６】
図６は、２周波数チャンネル同時接続時の本発明によるＰＤＵ順序整列方法による順序整列過程で３１番ＰＤＵが到着した状態を示した図面である。
【００５７】
もし、現在フレームが９８３番目である時に３１番ＰＤＵが到着すると、３１番ＰＤＵは開始シークエンスに該当するので、再組立部に伝達されると共に開始シークエンスが３４と更新される。この時、開始フレームはＰＤＵ順序整列部内で現在フレームと最も大きい差を有するフレーム番号と更新される。
【００５８】
図７は、２周波数チャンネル同時接続時の本発明によるＰＤＵ順序整列方法による順序整列過程で３９番ＰＤＵが到着した状態を示した図面である。
【００５９】
図７で現在フレームは９８４であるので、３９番ＰＤＵが到着する場合、ＰＤＵ順序キュー（ｑｕｅｕｅ）に整列および保存される。また、開始シークエンス値ではなく、現在フレーム範囲が１０以下であるので、変化はない。
【００６０】
図８は、２周波数チャンネル同時接続時の本発明によるＰＤＵ順序整列方法による順序整列過程で３５番ＰＤＵの順序整列タイムアウト状態を示した図面である。
【００６１】
図８で現在フレームが９８５である時に３５番ＰＤＵに対して順序整列タイムアウトが発生すると、開始シークエンス値が３６に増加し、３５番ＰＤＵは再組立部に伝達される。その後、すでに到着している３６番および３７番ＰＤＵも再組立部に伝達されて、開始シークエンスが順次に１ずつ増加して３８となる。一方、開始フレームはＰＤＵ順序整列部内で現在フレームと最も大きい差を有するフレーム番号と更新される。つまり、図８に示したように、現在フレームは９８５となり、フレーム範囲は７となる。
【００６２】
図９は、２周波数チャンネル同時接続時の本発明によるＰＤＵ順序整列方法による順序整列過程で３８番ＰＤＵが到着した状態を示した図面である。
【００６３】
図９で現在フレームが９８６となる時に３８番ＰＤＵが到着する場合、３８番ＰＤＵは開始シークエンスに該当するＰＤＵであるので、再組立部に伝達される一方、開始シークエンスの値が３９と増加される。また、３９乃至４０番ＰＤＵはすでに到着しているので、３９乃至４０番ＰＤＵも再組立部に伝達され、開始シークエンスは再び３９＋２＝４１と更新される。
【００６４】
一方、図９の場合にはこの他に到着したＰＤＵがないので、フレーム範囲が０となる。
【００６５】
図１０は、２周波数チャンネル同時接続時の本発明によるＰＤＵ順序整列方法による順序整列過程で４７番ＰＤＵが到着した状態を示した図面である。
【００６６】
図１０で現在フレームが９８７である時に４７番ＰＤＵが到着すると、フレーム範囲は１となる。
【００６７】
図１１は、２周波数チャンネル同時接続時の本発明によるＰＤＵ順序整列方法による順序整列過程で最終状態を示した図面である。
【００６８】
図１１に示したように、図４乃至図１０で示した順序整列過程が進行された後、３０番ＰＤＵ乃至４０番ＰＤＵに対しては順序整列（ｒｅｏｒｄｅｒｉｎｇ）が完了していることが分かる。また、４１番乃至４６番ＰＤＵは未到着状態であり、開始シークエンスも４１を示していることが分かる。
【００６９】
図１２は、本発明による２周波数チャンネル同時接続時ダウンリンクでのＰＤＵ順序整列方法の一例を示すフローチャートである。
【００７０】
図１２のフローチャートの説明において、端末器が同時接続する周波数チャンネルのうちの一つを第１周波数チャンネルといい、記号ではＦＡ０と示すこととする。また、端末器が同時接続する周波数チャンネルのうちの他の一つを第２周波数チャンネルといい、記号ではＦＡ１と示すこととする。
【００７１】
まず、第１周波数チャンネルＦＡ０や第２周波数チャンネルＦＡ１を通してローＭＡＣおよび物理階層のダウンリンクに任意の順序にＰＤＵが受信される（Ｓ１００）。つまり、第１物理階層部および第１ローＭＡＣ部のダウンリンクに第１周波数チャンネルを通してＰＤＵが受信され（Ｓ１０１）、第２物理階層部および第２ローＭＡＣ部のダウンリンクに第２周波数チャンネルを通してＰＤＵが受信される（Ｓ１０２）。この時、第１ローＭＡＣ部および第２ローＭＡＣ部はそれぞれ受信したＰＤＵをＰＤＵ順序整列部に伝達し、ＰＤＵ順序整列部はそれぞれのＰＤＵに対して現在フレーム（ｃｕｒｒｅｎｔ  ｆｒａｍｅ）の値をフレーム番号（ｆｒａｍｅ  ｎｕｍｂｅｒ）値として保存する（Ｓ１１０）。
【００７２】
次に、ＰＤＵ順序整列部は、ＰＤＵシークエンス番号（ワイブロの場合、ＭＡＣ  ＰＤＵのＳＤＵ_ＳＮ  ｅｘｔｅｎｄｅｄ  ｓｕｂｈｅａｄｅｒ内に存在する）を抽出して、開始シークエンス値および最大シークエンス番号と比較する（Ｓ１２０）。この時、ＰＤＵシークエンス番号が開始シークエンス値よりも小さかったり（Ｓ１２２）、最大シークエンス番号よりも大きい場合（Ｓ１２４）には、当該ＰＤＵを無視する（Ｓ１２６）。もし、段階Ｓ１２０とＳ１２２のうちのいずれの場合にも該当しないと、当該ＰＤＵはシークエンス番号に応じてＰＤＵ順序キューに整列して保存される（Ｓ１３０）。
【００７３】
次に、ＰＤＵ順序整列部は、ＰＤＵのシークエンス番号が開始シークエンスと同一であるかを判断する（Ｓ１４０）。もし、ＰＤＵのシークエンス番号が開始シークエンスと同一である場合には、受信された当該ＰＤＵを再組立部に直ちに伝達する（Ｓ１５０）。また、これと共に開始シークエンスを１だけ増加させる（Ｓ１６０）。
【００７４】
ＰＤＵ順序キューに少なくとも一つのＰＤＵが保存されていれば、ＰＤＵ順序整列部は次のＰＤＵを受け取り（Ｓ１７０）、当該ＰＤＵのシークエンス番号が開始シークエンスと同一であるかを判断する（Ｓ１８０）。
【００７５】
もし、ＰＤＵのシークエンス番号が開始シークエンスと同一であり、且つＰＤＵ順序キュー内にＰＤＵがさらに残っていれば、図１２に示したように、反復的に残りのＰＤＵに対して作業が遂行される。反面、ＰＤＵのシークエンス番号が開始シークエンスと異なる場合には、図１２に示したように、次の段階へ進むこととなる（Ｓ１８０）。
【００７６】
ＰＤＵ順序整列部は、毎フレーム毎に周期的にフレーム番号である現在フレーム（ｃｕｒｒｅｎｔ  ｆｒａｍｅ）を増加させ、この現在フレームとＰＤＵ順序整列部に整列して保存されたＰＤＵのうちの特定のＰＤＵ（この特定のフレームはフレーム番号値との差が最大フレーム範囲よりも大きい）が存在するかを検出する（Ｓ１９０）。
【００７７】
もし、このようなＰＤＵが検出された場合には、順序整列タイムアウト（ｒｅｏｒｄｅｒｉｎｇ  ｔｉｍｅｏｕｔ）を発生させた後、当該ＰＤＵを再組立部に伝達する（Ｓ２００）。これと共に、開始シークエンス値を当該ＰＤＵの開始シークエンス番号に１を加えた値と増加させる（Ｓ２１０）。
【００７８】
このようなＰＤＵ順序整列作業は、ＭＡＣ自動再転送要請（ＭＡＣ  Ａｕｔｏｍａｔｉｃ  Ｒｅｐｅａｔ  Ｒｅｑｕｅｓｔ）機能が活性化（ｅｎａｂｌｅ）される場合には、省略可能である。
【００７９】
また、特定端末器が順序整列機能を支援するかに関する情報は、端末器と基地局の間にＳＢＣ_ＲＥＱ（ＳＳ  Ｂａｓｉｃ  Ｃａｐａｂｉｌｉｔｙ  Ｒｅｑｕｅｓｔ）、ＳＢＣ−ＲＳＰ（ＳＳ  Ｂａｓｉｃ  Ｃａｐａｂｉｌｉｔｙ  Ｒｅｓｐｏｎｓｅ）メッセージを交換する段階で基地局がこれを把握することができる。
【００８０】
この時、ＰＤＵ順序整列のために使用されるＭＡＣ  ＰＤＵシークエンス番号は、標準で定義しているＰＤＵ_ＳＮ拡張サブヘッダ（ＰＤＵ_ＳＮ  ｅｘｔｅｎｄｅｄ  ｓｕｂｈｅａｄｅｒ）を使用することを基本にすることができる。一方、オーバーヘッドの最少化のためにフラグメントサブヘッダ（ｆｒａｇｍｅｎｔ  ｓｕｂｈｅａｄｅｒ）を利用することもできる。
【００８１】
また、一つの端末器内でＰＤＵ順序整列は連結（ｃｏｎｎｅｃｔｉｏｎ）単位で行われるようにできる。
【００８２】
以上で説明した本発明の実施例は、装置および方法を通してだけ実現されるのではなく、本発明の実施例の構成に対応する機能を実現するプログラムまたはそのプログラムが記録された記録媒体を通して実現されることもでき、このような実現は前記の実施例の記載から、本発明が属する技術分野の専門家であれば容易に実現することができる。
【００８３】
以上で本発明の実施例について詳細に説明したが、本発明の権利範囲はこれに限定されず、次の特許請求の範囲で定義している本発明の基本概念を利用した当業者の多様な変形および改良形態も本発明の権利範囲に属する。
【符号の説明】
【００８４】
１００、１１０、１２０・・・携帯端末器
１３０・・・基地局
１４０・・・無線接続制御装備（ＡＣＲ）
１５０・・・認証サーバー（ＡＡＡ）
１６０・・・ＩＰネットワーク
１７０・・・ホームエイジェントサーバー（ＨＡ）
【図１】
2011507447.tif 000004
【図４】
2011507447.tif 000005
【図２】
2011507447.tif 000006
【図３】
2011507447.tif 000007
【図５】
2011507447.tif 000008
【図６】
2011507447.tif 000009
【図７】
2011507447.tif 000010
【図８】
2011507447.tif 000011
【図９】
2011507447.tif 000012
【図１０】
2011507447.tif 000013
【図１１】
2011507447.tif 000014
【図１２】
2011507447.tif 000015
【国際調査報告】
2011507447.tif 000016
2011507447.tif 000017